(57)【特許請求の範囲】
【請求項１】
電力消費を削減するための方法であって、
通信デバイス内に含まれるワイヤレス通信モジュールによって、前記通信デバイスのワイヤレスフィデリティＷｉ−Ｆｉモードがすでにイネーブルにされているとき、送られるべきサービスデータが現在存在するかどうか識別するステップと、
前記ワイヤレス通信モジュールによって、前記サービスデータが現在存在する場合、前記ワイヤレス通信モジュールの受信属性情報を獲得するステップと、
前記ワイヤレス通信モジュールによって、前記受信属性情報を使用することによって前記サービスデータを送るための送信レートを決定するステップと、
前記ワイヤレス通信モジュールによって、前記送信レートに従って、前記ワイヤレス通信モジュールに接続された電力増幅器の供給電圧値を決定するステップであって、その結果、前記電力増幅器が、前記供給電圧値に従って、前記サービスデータを担持するサービス要求信号を増幅するようにする、ステップであり、
前記ワイヤレス通信モジュールによって、前記送信レートに従って、前記ワイヤレス通信モジュールに接続された電力増幅器の供給電圧値を決定する前記ステップは特に、
前記ワイヤレス通信モジュールによって、前記送信レートに従って、前記送信レートに対応する変調および符号化方式ＭＣＳインデックス数を獲得するステップと、
前記ワイヤレス通信モジュールによって、前記変調および符号化方式ＭＣＳインデックス数に従って、前記変調および符号化方式ＭＣＳインデックス数が属するレートグループ化クラスを獲得するステップと、
前記ワイヤレス通信モジュールによって、前記レートグループ化クラスを使用することによって、前記電力増幅器の、前記レートグループ化クラスに合致する供給電圧値を決定するステップと
を含むことを特徴とする方法。
【請求項２】
前記ワイヤレス通信モジュールによって、前記電力増幅器の、前記レートグループ化クラスに合致する供給電圧値を決定する前記ステップの後で、
前記ワイヤレス通信モジュールによって、前記ワイヤレス通信モジュールに接続された直流−直流コンバータに第１の制御信号を送るステップであって、前記第１の制御信号は、第１の電力供給情報を含み、その結果、前記直流−直流コンバータは、前記第１の電力供給情報に従って、合致した供給電圧値を前記電力増幅器に提供する、ステップをさらに含むことを特徴とする請求項１に記載の電力消費を削減するための方法。
【請求項３】
通信デバイス内に含まれるワイヤレス通信モジュールによって、前記通信デバイスのワイヤレスフィデリティＷｉ−Ｆｉモードがすでにイネーブルにされているとき、送られるべきサービスデータが現在存在するかどうか識別する前記ステップの後で、
前記サービスデータが現在存在しない場合、前記ワイヤレス通信モジュールによって、前記電力増幅器の前記供給電圧値が０Ｖであると決定するステップをさらに含むことを特徴とする請求項１に記載の電力消費を削減するための方法。
【請求項４】
前記ワイヤレス通信モジュールによって、前記送信レートに従って、前記ワイヤレス通信モジュールに接続された電力増幅器の供給電圧値を決定する前記ステップの後で、
前記ワイヤレス通信モジュールによって、前記サービスデータがすでに完全に送られたかどうか決定するステップと、
前記サービスデータがすでに完全に送られた場合、前記ワイヤレス通信モジュールによって、前記電力増幅器の前記供給電圧値が０Ｖであると決定するステップ、または
前記サービスデータが完全に送られていない場合、前記ワイヤレス通信モジュールによって、前記受信属性情報を獲得するステップと
をさらに含むことを特徴とする請求項１に記載の電力消費を削減するための方法。
【請求項５】
前記ワイヤレス通信モジュールによって、前記電力増幅器の前記供給電圧値が０Ｖであると決定する前記ステップの後で、
前記ワイヤレス通信モジュールによって、前記ワイヤレス通信モジュールに接続された直流−直流コンバータに第２の制御信号を送るステップであって、前記第２の制御信号は、第２の電力供給情報を含み、その結果、前記直流−直流コンバータは、前記第２の電力供給情報に従って、合致した供給電圧値を前記電力増幅器に提供するのを停止する、ステップをさらに含むことを特徴とする請求項３または４に記載の電力消費を削減するための方法。
【請求項６】
電力消費を削減するための装置であって、
通信デバイスのワイヤレスフィデリティＷｉ−Ｆｉモードがすでにイネーブルにされているとき、送られるべきサービスデータが現在存在するかどうか識別するように構成された識別ユニットと、
前記サービスデータが現在存在する場合、この装置の受信属性情報を獲得するように構成された獲得ユニットと、
前記受信属性情報を使用することによって前記サービスデータを送るための送信レートを決定するように構成された決定ユニットとを備え、
前記決定ユニットは、前記送信レートに従って、ワイヤレス通信モジュールに接続された電力増幅器の供給電圧値を決定するようにさらに構成され、その結果、前記電力増幅器が、前記供給電圧値に従って、前記サービスデータを担持するサービス要求信号を増幅し、前記決定ユニットは特に、
前記送信レートに従って、前記送信レートに対応する変調および符号化方式ＭＣＳインデックス数を獲得し、
前記変調および符号化方式ＭＣＳインデックス数に従って、前記変調および符号化方式ＭＣＳインデックス数が属するレートグループ化クラスを獲得し、
前記レートグループ化クラスを使用することによって、前記電力増幅器の、前記レートグループ化クラスに合致する供給電圧値を決定するように構成されることを特徴とする装置。
【請求項７】
前記ワイヤレス通信モジュールに接続された直流−直流コンバータに第１の制御信号を送るように構成された送信ユニットをさらに備え、前記第１の制御信号は、第１の電力供給情報を含み、その結果、前記直流−直流コンバータは、前記第１の電力供給情報に従って、合致した供給電圧値を前記電力増幅器に提供することを特徴とする請求項６に記載の電力消費を削減するための装置。
【請求項８】
前記決定ユニットは、
前記サービスデータが現在存在しない場合、前記電力増幅器の前記供給電圧値が０Ｖであると決定するようにさらに構成されることを特徴とする請求項７に記載の電力消費を削減するための装置。
【請求項９】
前記サービスデータがすでに完全に送られたかどうか決定するように構成された判定ユニットをさらに備え、
前記決定ユニットは、前記サービスデータがすでに完全に送られた場合、前記電力増幅器の前記供給電圧値が０Ｖであると決定するようにさらに構成され、
前記獲得ユニットは、前記サービスデータが完全に送られていない場合、前記受信属性情報を獲得するようにさらに構成されることを特徴とする請求項７に記載の電力消費を削減するための装置。
【請求項１０】
前記送信ユニットは、
前記ワイヤレス通信モジュールに接続された直流−直流コンバータに第２の制御信号を送るようにさらに構成され、前記第２の制御信号は、第２の電力供給情報を含み、その結果、前記直流−直流コンバータは、前記第２の電力供給情報に従って、合致した供給電圧値を前記電力増幅器に提供するのを停止することを特徴とする請求項８または９に記載の電力消費を削減するための装置。
【発明の詳細な説明】
【技術分野】
【０００１】
本発明は、通信技術の分野に関し、詳細には、電力消費を削減するための方法および装置に関する。
【０００２】
本願は、その全体が参照により本明細書に組み込まれる、２０１４年１月１３日に中国特許庁に出願された「ＭＥＴＨＯＤ  ＡＮＤ  ＡＰＰＡＲＡＴＵＳ  ＦＯＲ  ＲＥＤＵＣＩＮＧ  ＰＯＷＥＲ  ＣＯＮＳＵＭＰＴＩＯＮ」という名称の中国特許出願第２０１４１００１３５０３．２号に基づく優先権を主張する。
【背景技術】
【０００３】
通信ネットワークの急速な普及と共に、ワイヤレスフィデリティ（Ｗｉｒｅｌｅｓｓ  Ｆｉｄｅｌｉｔｙ、略してＷｉ−Ｆｉ）技術が人々の間でますます普及しており、本質的に通信デバイス内で構成される機能になっている。
【０００４】
Ｗｉ−Ｆｉ技術は、ユーザに多くの利便性をもたらすが、Ｗｉ−Ｆｉ技術は、２Ｇ／３Ｇネットワークのような電力制御技術を有していないため、インテリジェント端末の使用に影響を及ぼす大きな電力消費の問題がある。既存の通信デバイスでは、Ｗｉ−Ｆｉ機能は、図１に示されている以下の構成要素、すなわちＷｉ−Ｆｉチップ、電力増幅器（Ｐｏｗｅｒ  Ａｍｐｌｉｆｉｅｒ、略してＰＡ）、フィルタ、およびアンテナを使用して実装される必要がある。Ｗｉ−Ｆｉチップは、ＰＡをイネーブルに設定し（信号ＰＡ＿ＥＮがイネーブルにされる）、送信データを担持するサービス要求信号をＰＡに送る。ＰＡは、イネーブルにされた期間内でサービス要求信号を増幅し、サービス要求信号をフィルタに送る。フィルタは、増幅されたサービス要求信号に対してフィルタリング処理を実施した後、アンテナを使用してサービス要求信号を外部通信デバイスに送る。
【０００５】
従来技術では、高いレート（たとえば、変調方式は２５６ＱＡＭまたは６４ＱＡＭである）の信号を送るのにリニアリティ特性に対して課される要件を満たすため、Ｗｉ−ＦｉチップがＰＡの静的なバイアス点を比較的高く設定している。そうでないと、送信信号はインターセプトされ、歪まされてしまうからである。さらに、静的なバイアス点が共に管理されるように、Ｗｉ−ＦｉチップはＰＡに対して、異なる送信レートであっても同じ静的なバイアス点を設定する。
【０００６】
しかし、従来技術においてＷｉ−Ｆｉ機能を実装するための解決策は、以下の欠点をも有する。すなわち、Ｗｉ−ＦｉチップはＰＡに対して、異なる送信レートであっても均一な静的なバイアス点を設定するので、送信レートが高いときには、ＰＡの電力消費は比較的高く、送信レートが低いときであっても、ＰＡの電力消費は、やはり比較的高い状態にある。したがって、ＰＡの電力消費は常に比較的高い状態にあり削減することができないことになる。さらに、ＰＡの電力消費が常に比較的高い状態にあるので、通信デバイス内のバッテリは、Ｗｉ−ＦｉチップおよびＰＡに継続的に電力を供給することを必要とし、バッテリの電気を過度に多く消費する。
【発明の概要】
【０００７】
本発明の実施形態は、電力消費を削減するための方法および装置を提供し、それはＷｉ−Ｆｉチップセットが異なる送信レートに従って異なる静的なバイアス点を設定し、したがってＰＡの電力消費が削減され、通信デバイス内のバッテリの電気消費もまた削減され、それにより電力節約の目的を達成する。
【０００８】
第１の態様によれば、本発明の一実施形態は、電力消費を削減するための方法を提供し、この方法は、
通信デバイス内に含まれるワイヤレス通信モジュールによって、通信デバイスのワイヤレスフィデリティＷｉ−Ｆｉモードがすでにイネーブルにされているとき、送られるべきサービスデータが現在存在するかどうか識別するステップと、
ワイヤレス通信モジュールによって、サービスデータが現在存在する場合、ワイヤレス通信モジュールの受信属性情報を獲得するステップと、
ワイヤレス通信モジュールによって、受信属性情報を使用することによってサービスデータを送るための送信レートを決定するステップと、
ワイヤレス通信モジュールによって、送信レートに従って、ワイヤレス通信モジュールに接続された電力増幅器の供給電圧値を決定するステップであって、その結果、電力増幅器が、供給電圧値に従って、サービスデータを担持するサービス要求信号を増幅するようにする、ステップとを含む。
【０００９】
第１の可能な実装法では、ワイヤレス通信モジュールによって獲得される受信属性情報は、受信信号強度インジケータＲＳＳＩ情報およびパケット誤り率ＰＥＲ情報を特に含み、
ワイヤレス通信モジュールによって、受信属性情報を使用することによってサービスデータを送るための送信レートを決定するステップは、
ワイヤレス通信モジュールによって、記憶されている送信レートテーブルから、受信信号強度インジケータＲＳＳＩ情報およびパケット誤り率ＰＥＲ情報を使用することによって、サービスデータを送るための送信レートを見出すステップであって、送信レートは、受信信号強度インジケータＲＳＳＩ情報およびパケット誤り率ＰＥＲ情報に合致する、ステップを特に含む。
【００１０】
第２の可能な実装法では、ワイヤレス通信モジュールによって、送信レートに従って、ワイヤレス通信モジュールに接続された電力増幅器の供給電圧値を決定するステップは、
ワイヤレス通信モジュールによって、送信レートに従って、送信レートに対応する変調および符号化方式ＭＣＳインデックス数を獲得するステップと、
ワイヤレス通信モジュールによって、変調および符号化方式ＭＣＳインデックス数に従って、変調および符号化方式ＭＣＳインデックス数が属するレートグループ化クラスを獲得するステップと、
ワイヤレス通信モジュールによって、レートグループ化クラスを使用することによって、電力増幅器の、レートグループ化クラスに合致する供給電圧値を決定するステップとを特に含む。
【００１１】
第１の態様の第２の可能な実装法を参照して、第３の可能な実装法では、ワイヤレス通信モジュールによって、電力増幅器の、レートグループ化クラスに合致する供給電圧値を決定するステップの後で、この方法は、
ワイヤレス通信モジュールによって、ワイヤレス通信モジュールに接続された直流−直流コンバータに第１の制御信号を送るステップであって、第１の制御信号は、第１の電力供給情報を含み、その結果、直流−直流コンバータは、第１の電力供給情報に従って、合致した供給電圧値を電力増幅器に提供する、ステップをさらに含む。
【００１２】
第４の可能な実装法では、通信デバイス内に含まれるワイヤレス通信モジュールによって、通信デバイスのワイヤレスフィデリティＷｉ−Ｆｉモードがすでにイネーブルにされているとき、送られるべきサービスデータが現在存在するかどうか識別するステップの後で、この方法は、
サービスデータが現在存在しない場合、ワイヤレス通信モジュールによって、電力増幅器の供給電圧値が０Ｖであると決定するステップをさらに含む。
【００１３】
第５の可能な実装法では、ワイヤレス通信モジュールによって、送信レートに従って、ワイヤレス通信モジュールに接続された電力増幅器の供給電圧値を決定するステップの後で、この方法は、
ワイヤレス通信モジュールによって、サービスデータがすでに完全に送られたかどうか決定するステップと、
サービスデータがすでに完全に送られた場合、ワイヤレス通信モジュールによって、電力増幅器の供給電圧値が０Ｖであると決定するステップ、または
サービスデータが完全に送られていない場合、ワイヤレス通信モジュールによって、受信属性情報を獲得するステップとをさらに含む。
【００１４】
第１の態様の第４または第５の可能な実装法を参照して、第６の可能な実装法では、ワイヤレス通信モジュールが電力増幅器の供給電圧値を０Ｖに設定した後で、この方法は、
ワイヤレス通信モジュールによって、ワイヤレス通信モジュールに接続された直流−直流コンバータに第２の制御信号を送るステップであって、第２の制御信号は、第２の電力供給情報を含み、その結果、直流−直流コンバータは、第２の電力供給情報に従って、合致した供給電圧値を電力増幅器に提供するのを停止する、ステップをさらに含む。
【００１５】
第２の態様によれば、本発明の一実施形態は、電力消費を削減するための装置を提供し、この装置は、
通信デバイスのワイヤレスフィデリティＷｉ−Ｆｉモードがすでにイネーブルにされているとき、送られるべきサービスデータが現在存在するかどうか識別するように構成された識別ユニットと、
サービスデータが現在存在する場合、この装置の受信属性情報を獲得するように構成された獲得ユニットと、
受信属性情報を使用することによってサービスデータを送るための送信レートを決定するように構成された決定ユニットとを含み、
決定ユニットは、送信レートに従って、ワイヤレス通信モジュールに接続された電力増幅器の供給電圧値を決定するようにさらに構成され、その結果、電力増幅器が、供給電圧値に従って、サービスデータを担持するサービス要求信号を増幅する。
【００１６】
第１の可能な実装法では、獲得ユニットによって獲得される受信属性情報は、受信信号強度インジケータＲＳＳＩ情報およびパケット誤り率ＰＥＲ情報を特に含み、
決定ユニットは、記憶されている送信レートテーブルから、受信信号強度インジケータＲＳＳＩ情報およびパケット誤り率ＰＥＲ情報を使用することによって、サービスデータを送るための送信レートを見出すように特に構成され、送信レートは、受信信号強度インジケータＲＳＳＩ情報およびパケット誤り率ＰＥＲ情報に合致する。
【００１７】
第２の可能な実装法では、決定ユニットは、
送信レートに従って、送信レートに対応する変調および符号化方式ＭＣＳインデックス数を獲得し、
変調および符号化方式ＭＣＳインデックス数に従って、変調および符号化方式ＭＣＳインデックス数が属するレートグループ化クラスを獲得し、
レートグループ化クラスを使用することによって、電力増幅器の、レートグループ化クラスに合致する供給電圧値を決定するように特に構成される。
【００１８】
第２の態様の第２の可能な実装法を参照して、第３の可能な実装法では、この装置は、
ワイヤレス通信モジュールに接続された直流−直流コンバータに第１の制御信号を送るように構成された送信ユニットをさらに含み、第１の制御信号は、第１の電力供給情報を含み、その結果、直流−直流コンバータは、第１の電力供給情報に従って、合致した供給電圧値を電力増幅器に提供する。
【００１９】
第２の態様の第３の可能な実装法を参照して、第４の可能な実装法では、決定ユニットは、
サービスデータが現在存在しない場合、電力増幅器の供給電圧値が０Ｖであると決定するようにさらに構成される。
【００２０】
第２の態様の第３の可能な実装法を参照して、第５の可能な実装法では、この装置は、
サービスデータがすでに完全に送られたかどうか決定するように構成された判定ユニットをさらに含み、
決定ユニットは、サービスデータがすでに完全に送られた場合、電力増幅器の供給電圧値が０Ｖであると決定するようにさらに構成され、
獲得ユニットは、サービスデータが完全に送られていない場合、受信属性情報を獲得するようにさらに構成される。
【００２１】
第２の態様の第４または第５の可能な実装法を参照して、第６の可能な実装法では、送信ユニットは、
ワイヤレス通信モジュールに接続された直流−直流コンバータに第２の制御信号を送るようにさらに構成され、第２の制御信号は、第２の電力供給情報を含み、その結果、直流−直流コンバータは、第２の電力供給情報に従って、合致した供給電圧値を電力増幅器に提供するのを停止する。
【００２２】
したがって、本発明の実施形態において提供される、電力消費を削減するための装置によれば、
ワイヤレス通信モジュールは、獲得される受信属性情報に従って、送られるべきサービスデータを送るための送信レートを決定し、
送信レートに従って、ワイヤレス通信モジュールに接続された電力増幅器の供給電圧値を決定し、その結果、電力増幅器は、決定された供給電圧値に従って、サービスデータを担持するサービス要求信号を増幅し、
ワイヤレス通信モジュールは、異なる送信レートに従って電力増幅器の供給電圧値を決定し、
次いで、異なる供給電圧値に従って、電力増幅器のために異なる場所で静的な動作ポイントを決定し、
その結果、電力増幅器は、イネーブルにされた期間内で異なる送信レートに従って電力消費を調整し、したがって、電力増幅器の電力消費が削減され、通信デバイス内のバッテリの電気消費もまた削減され、それにより電力節約の目的を達成する。
【図面の簡単な説明】
【００２３】
【図１】従来技術におけるＷｉ−Ｆｉ機能を実装するためのハードウェアの回路のブロック図である。
【図２】本発明の実施形態１による電力消費を削減するための方法の流れ図である。
【図３】本発明の一実施形態によるハードウェアの回路のブロック図である。
【図４】本発明の実施形態２による電力消費を削減するための装置の概略構造図である。
【発明を実施するための形態】
【００２４】
本発明の実施形態の目的、技術的解決策、および利点をより明確にするために、以下は、本発明の実施形態における添付の図面を参照して、本発明の実施形態における技術的解決策について明確かつ完全に述べる。明らかに、記載の実施形態は、本発明の実施形態の一部であり、そのすべてではない。当業者によって本発明の実施形態に基づいて創造的努力なしに得られるすべての他の実施形態が、本発明の保護の範囲内に入るものとする。
【００２５】
本発明のリアルタイムの理解を容易にするために、以下、特定の実施形態を使用することによって、添付の図面を参照してさらなる説明および記述が提供され、これらの実施形態は、本発明の実施形態に対する限定を構成しない。
実施形態１
本発明の実施形態１において提供される電力消費を削減するための方法について、以下に例として図２を使用して詳細に述べる。図２は、本発明の実施形態１による、電力消費を削減するための方法の流れ図である。本発明のこの実施形態では、以下のステップは、ワイヤレス通信モジュールによって実行され、ワイヤレス通信モジュールは、通信デバイス内に含めることができ、通信デバイスは、特に、モバイル端末またはルータなど、サービスデータを送ることを必要とするデバイスとすることができる。図２に示されているように、この実施形態は、以下のステップを特に含む。
【００２６】
ステップ２１０：通信デバイス内に含まれるワイヤレス通信モジュールが、通信デバイスのワイヤレスフィデリティＷｉ−Ｆｉモードがすでにイネーブルにされているとき、送られるべきサービスデータが現在存在するかどうか識別する。
【００２７】
具体的には、通信デバイスのワイヤレスフィデリティＷｉ−Ｆｉモードがすでにイネーブルにされているとき、通信デバイス内に含まれるワイヤレス通信モジュールは、送られるべきサービスデータが現在ワイヤレス通信モジュール内に存在するかどうか識別する。
【００２８】
送られるべきサービスデータは、ユーザによって入力されたデータ、または通信デバイス内のプロセッサによって生成されたデータを特に含む。
【００２９】
さらに、ステップ２１０が実施される前に、通信デバイスは、ユーザによって入力された操作命令を受信し、通信デバイスは、操作命令に従ってＷｉ−Ｆｉモードを開始し、Ｗｉ−Ｆｉモードに入る。通信デバイスがＷｉ−Ｆｉモードに入るとき、ワイヤレス通信モジュールは、送られるべきサービスデータが現在存在するかどうか識別するのを開始するようにワイヤレス通信モジュールをトリガする。
【００３０】
一例では、ユーザが通信デバイスを使用することによってワイヤレスネットワーク接続を実施したいと望み、ユーザは、最初に操作命令を入力し、通信デバイスは、操作命令に従ってＷｉ−Ｆｉモードを開始し、ワイヤレス通信モジュールは、送られるべきサービスデータが現在存在するかどうか識別する。
【００３１】
本発明のこの実施形態では、ワイヤレス通信モジュールは、特にＷｉ−Ｆｉチップである。
【００３２】
ステップ２２０：ワイヤレス通信モジュールは、サービスデータが現在存在する場合、ワイヤレス通信モジュールの受信属性情報を獲得する。
【００３３】
具体的には、ステップ２１０での識別に従って、ワイヤレス通信モジュールは、送られるべきサービスデータが現在存在する場合、ワイヤレス通信モジュールの受信属性情報を獲得する。
【００３４】
さらに、ワイヤレス通信モジュールによって、サービスデータが現在存在する場合、ワイヤレス通信モジュールの受信属性情報を獲得することは、
送られるべきサービスデータが現在存在する場合、ワイヤレス通信モジュールによって、アンテナによって受信された受信信号の関連の属性を検出することを含み、通信デバイス内でアンテナによって受信された信号は、その通信デバイスとデータ通信を実施する別のＷｉ−Ｆｉデバイスによって送られた信号を指し、受信信号の属性に従って、ワイヤレス通信モジュールは、サービスデータを送るための送信レートを決定することができ、限定するものではなく例として、受信属性情報は、受信信号強度インジケータ（Ｒｅｃｅｉｖｅｄ  Ｓｉｇｎａｌ  Ｓｔｒｅｎｇｔｈ  Ｉｎｄｉｃａｔｉｏｎ、略してＲＳＳＩ）情報、およびパケット誤り率（ｐａｉｒｗｉｓｅ  ｅｒｒｏｒ  ｐｒｏｂａｂｉｌｉｔｙ、略してＰＥＲ）情報を特に含む。
【００３５】
ステップ２１０における例によれば、ユーザは、ワイヤレスネットワーク接続のために使用されるユーザ名およびパスワードを再び入力し、送られるべきサービスデータが現在存在するとワイヤレス通信モジュールが識別した場合、ワイヤレス通信モジュールは、ＲＳＳＩ情報およびＰＥＲ情報を獲得する。
【００３６】
ステップ２３０：ワイヤレス通信モジュールは、受信属性情報を使用することによってサービスデータを送るための送信レートを決定する。
【００３７】
具体的には、ワイヤレス通信モジュールは、ステップ２２０で獲得された受信属性情報に従って、送られるべきサービスデータを送るための送信レートを決定する。
【００３８】
さらに、ワイヤレス通信モジュールによって、受信属性情報を使用することによってサービスデータを送るための送信レートを決定することは、
ワイヤレス通信モジュールによって、記憶されている送信レートテーブルから、ＲＳＳＩ情報およびＰＥＲ情報を使用することによって、サービスデータを送るための送信レートを見出すことを特に含み、送信レートは、受信信号強度インジケータＲＳＳＩ情報およびパケット誤り率ＰＥＲ情報に合致する。
【００３９】
送信レートテーブルは、ワイヤレス通信モジュールが引き渡される前に製造者自身によって決定され、製造者によって決定された送信レートテーブル同士は異なる。
【００４０】
送信レートは、ワイヤレス通信モジュールがサービスデータを送るとき使用された物理レイヤ送信レート（ＰＨＹ＿ＲＡＴＥ）を特に指すことに留意されたい。
【００４１】
本発明のこの実施形態では、送信レートテーブルは、ワイヤレス通信モジュールの記憶ユニット内に記憶され、ワイヤレス通信モジュールが引き渡される前に製造者によって格納される。送信レートテーブルは、複数のＲＳＳＩ情報およびＰＥＲ情報に対応する異なる送信レートを含む。
【００４２】
ステップ２４０：ワイヤレス通信モジュールは、送信レートに従って、ワイヤレス通信モジュールに接続された電力増幅器の供給電圧値を決定し、その結果、電力増幅器が、供給電圧値に従って、サービスデータを担持するサービス要求信号を増幅するようにする。
【００４３】
具体的には、ワイヤレス通信モジュールは、ステップ２３０で決定された送信レートに従って、ワイヤレス通信モジュールに接続された電力増幅器の供給電圧値を決定し、その結果、電力増幅器が、供給電圧値に従って、サービスデータを担持するサービス要求信号を増幅するようにする。本発明のこの実施形態では、ワイヤレス通信モジュールは、異なる送信レートに従って電力増幅器の供給電圧値を決定し、異なる供給電圧値に従って、電力増幅器のために異なる場所で静的な動作ポイントを決定し、
その結果、電力増幅器は、イネーブルにされた期間内で異なる送信レートに従って電力消費を調整し、したがって、電力増幅器の電力消費が削減され、通信デバイス内のバッテリの電気消費もまた削減され、それにより電力節約の目的を達成する。
【００４４】
さらに、ワイヤレス通信モジュールによって、送信レートに従って、ワイヤレス通信モジュールに接続された電力増幅器の供給電圧値を決定することは、
ワイヤレス通信モジュールによって、送信レートに従って、送信レートに対応する変調および符号化方式ＭＣＳインデックス数を獲得することを特に含み、表１に示されているのは、ＭＣＳと送信レートとの間の対応表である。
【００４５】
【表１】
0006332883.tif 000002
【００４６】
表１では、各変調および符号化方式（Ｍｏｄｕｌａｔｉｏｎ  ａｎｄ  Ｃｏｄｉｎｇ  Ｓｃｈｅｍｅ、略してＭＣＳ）インデックス数は、ＲＳＳＩ情報およびＰＥＲ情報のグループに対応する送信レートに対応する。すなわち、複数の送信レートが１つのＭＣＳインデックス数に対応する。
【００４７】
表１では、ＧＩは、ガード間隔（Ｇｕａｒｄ  Ｉｎｔｅｒｖａｌ）である。データ送信の信頼性を確保するために、サービスデータを送るとき、ワイヤレス通信モジュールは、送られる隣接するサービスデータ間にガード間隔、すなわちＧＩを設定し、ＧＩは、受信機が確実に、両サービスデータを正しく解析することができるようにするために使用され、ｎｓはナノ秒である。
【００４８】
表１では、ＢＰＳＫは、二位相偏移変調（Ｂｉｎａｒｙ  Ｐｈａｓｅ  Ｓｈｉｆｔ  Ｋｅｙｉｎｇ、略してＢＰＳＫ）であり、位相が偏移する複数の波の組合せを使用することによって、位相偏移変調情報を表すための方法である。ＢＰＳＫは、参照正弦波およびその逆位相を有する波を使用して、一方を０とし、他方を１とし、その結果、１ビットの情報を送受信することができる。
【００４９】
ＱＰＳＫは、四位相偏移変調（Ｑｕａｄｒａｔｕｒｅ  Ｐｈａｓｅ  Ｓｈｉｆｔ  Ｋｅｙｉｎｇ、略してＱＰＳＫ）または直交位相変調であり、搬送波の４つの異なる位相の差を使用することによって数値情報を示す。ＱＰＳＫでは、各変調中に２ビット情報を送信することができ、この情報は、搬送波の４つの位相を使用することによって転送される。
【００５０】
ＱＡＭは、直交振幅変調（Ｑｕａｄｒａｔｕｒｅ  Ａｍｐｌｉｔｕｄｅ  Ｍｏｄｕｌａｔｉｏｎ、略してＱＡＭ）であり、独立したベースバンド信号の２つのチャネルを使用することによって互いに直交する周波数内搬送波に対して搬送波抑圧両側波帯変調を実施し、同じ帯域幅内でこのタイプの変調信号の周波数スペクトルの直交性を使用することによって、２つの数値情報の並行送信を実装している。１６−ＱＡＭは、１６タイプのシンボルを含むＱＡＭ変調方式を指し、６４−ＱＡＭは、６４タイプのシンボルを含むＱＡＭ変調方式を指し、２５６−ＱＡＭは、２５６タイプのシンボルを含むＱＡＭ変調方式を指す。
【００５１】
送信レートに対応するＭＣＳインデックス数を獲得した後、ワイヤレス通信モジュールは、ＭＣＳインデックス数に従って、ＭＣＳインデックス数が属するレートグループ化クラスｎを獲得する。表２に示されているのは、レートグループ化クラス表である。
【００５２】
【表２】
0006332883.tif 000003
【００５３】
ＭＣＳインデックス数が属するレートグループ化クラスｎを獲得した後、ワイヤレス通信モジュールは、レートグループ化クラスｎを使用することによって、電力増幅器の、レートグループ化クラスに合致する供給電圧値ＶＣＣを決定し、その結果、電力増幅器は、供給電圧値に従って、サービスデータを担持するサービス要求信号を増幅する。表３に示されているのは、供給電圧表である。
【００５４】
【表３】
0006332883.tif 000004
【００５５】
表３では、供給電圧ＶＣＣに含まれる電圧値Ｖｉは、電力増幅器の供給電圧値である。
【００５６】
一例では、ワイヤレス通信モジュールは、ステップ２３０で、送られるべきサービスデータを送るための送信レートに対応するＭＣＳインデックス数が数０であると決定する。インデックス数ＭＣＳ０に対するレートグループ化クラスｎは１であり、すなわち第１のクラスである。したがって、ワイヤレス通信モジュールは、第１のクラスに対応する供給電圧Ｖ１に従って、電力増幅器の供給電圧値がＶ１であると決定し、その結果、供給電圧値がＶ１である場合において、電力増幅器は、サービスデータを担持するサービス要求信号を増幅する。
【００５７】
任意選択で、本発明のこの実施形態におけるステップ２４０の後、この方法は、ワイヤレス通信モジュールによって、直流−直流コンバータに第１の制御信号を送るステップをさらに含む。このステップの後、直流−直流コンバータは、第１の制御信号内に含まれる第１の電力供給情報に従って電力を電力増幅器に供給する。特定のステップは、
ワイヤレス通信モジュールによって、ワイヤレス通信モジュールに接続された直流−直流コンバータに第１の制御信号を送るステップであって、第１の制御信号は、第１の電力供給情報を含み、その結果、直流−直流コンバータは、第１の電力供給情報に従って、合致した供給電圧値を電力増幅器に提供する、ステップである。
【００５８】
具体的には、ワイヤレス通信モジュールが電力増幅器の供給電圧値を決定した後、ワイヤレス通信モジュールは、第１の制御信号を生成し、第１の制御信号は、第１の電力供給情報、すなわち電力増幅器の供給電圧値を含み、ワイヤレス通信モジュールは、ワイヤレス通信モジュールに接続された直流−直流コンバータに第１の制御信号を送り、その結果、直流−直流コンバータは、第１の電力供給情報に従って、合致した供給電圧値を電力増幅器に提供する。
【００５９】
任意選択で、本発明のこの実施形態におけるステップ２１０の識別ステップは、別の実装の場合をさらに含み、すなわち、送られるべきサービスデータが現在存在しない場合、ワイヤレス通信モジュールは、電力増幅器の供給電圧値が０Ｖであると決定する。
【００６０】
ワイヤレス通信モジュールは、ワイヤレス通信モジュールに接続された直流−直流コンバータに第２の制御信号を送り、第２の制御信号は、第２の電力供給情報を含み、その結果、直流−直流コンバータは、第２の電力供給情報に従って、合致した供給電圧値を電力増幅器に提供するのを停止する。
【００６１】
具体的には、ワイヤレス通信モジュールが、電力増幅器の供給電圧値が０Ｖであると決定した後、ワイヤレス通信モジュールは、第２の制御信号を生成し、第２の制御信号は、第２の電力供給情報を含み、すなわち、電力増幅器の供給電圧値が０Ｖであり、ワイヤレス通信モジュールは、ワイヤレス通信モジュールに接続された直流−直流コンバータに第２の制御信号を送り、その結果、直流−直流コンバータは、第２の電力供給情報に従って、合致した供給電圧値を電力増幅器に提供するのを停止し、したがって、電力増幅器の電力消費が削減され、それにより電力節約の目的を達成する。
【００６２】
任意選択で、本発明のこの実施形態におけるステップ２４０の後、この方法は、ワイヤレス通信モジュールによって、送られるべきサービスデータが完全に送られたかどうか決定するステップをさらに含み、電力増幅器の供給電圧値は、実際の送信状況に従って決定され、これは電力増幅器の電力消費を削減し、それにより電力節約の目的を達成する。特定のステップは、
ワイヤレス通信モジュールによって、サービスデータがすでに完全に送られたかどうか決定するステップと、
サービスデータがすでに完全に送られた場合、ワイヤレス通信モジュールによって、電力増幅器の供給電圧値が０Ｖであると決定するステップ、または
サービスデータが完全に送られていない場合、ワイヤレス通信モジュールによって、受信属性情報を獲得するステップである。
【００６３】
具体的には、電力増幅器の供給電圧値を決定した後、ワイヤレス通信モジュールは、送られるべきサービスデータが完全に送られたかどうか決定する。
【００６４】
送られるべきサービスデータが完全に送られた場合、ワイヤレス通信モジュールは、電力増幅器の供給電圧値が０Ｖであると決定し、第２の制御信号を生成し、第２の制御信号は第２の電力供給情報を含み、第２の制御信号を直流−直流コンバータに送り、その結果、直流−直流コンバータは、第２の電力供給情報に従って、合致した供給電圧値を電力増幅器に提供するのを停止し、したがって、電力増幅器の電力消費が削減され、それにより電力節約の目的を達成する。
【００６５】
送られるべきサービスデータが完全に送られていない場合、ワイヤレス通信モジュールは、受信属性情報を再び獲得し、ステップ２２０からステップ２４０が繰り返し実施され、ワイヤレス通信モジュールは、現在獲得されているＲＳＳＩ情報およびＰＥＲ情報に従って、サービスデータを送るための送信レートを再び決定し、電力増幅器の供給電圧値を調整し、したがって電力増幅器の電力消費が削減され、それにより電力節約の目的を達成する。
【００６６】
したがって、本発明のこの実施形態において提供される電力消費を削減するための方法によれば、ワイヤレス通信モジュールは、獲得される受信属性情報に従って、送られるべきサービスデータを送るための送信レートを決定し、送信レートに従って、ワイヤレス通信モジュールに接続された電力増幅器の供給電圧値を決定し、その結果、電力増幅器は、決定された供給電圧値に従って、サービスデータを担持するサービス要求信号を増幅し、ワイヤレス通信モジュールは、異なる送信レートに従って電力増幅器の供給電圧値を決定し、次いで、異なる供給電圧値に従って、電力増幅器のために異なる場所で静的な動作ポイントを決定し、その結果、電力増幅器は、イネーブルにされた期間内で異なる送信レートに従って電力消費を調整し、したがって、電力増幅器の電力消費が削減され、通信デバイス内のバッテリの電気消費もまた削減され、それにより電力節約の目的を達成する。
【００６７】
本発明のリアルタイムの理解を容易にするために、以下、実施形態１における電力消費を削減するための方法について、図３を参照して詳細に述べる。図３は、本発明の一実施形態によるハードウェアの回路のブロック図である。
【００６８】
図３では、ワイヤレス通信モジュールは、Ｗｉ−Ｆｉチップを使用することによって特に実装され、Ｗｉ−Ｆｉチップは、電力増幅器および直流−直流コンバータに別々に接続され、直流−直流コンバータは、電力増幅器に接続され、電力増幅器に供給電圧を提供し、電力増幅器は、フィルタに接続され、フィルタは、アンテナに接続される。
【００６９】
Ｗｉ−Ｆｉチップ、電力増幅器、直流−直流コンバータ、フィルタ、およびアンテナは、すべて通信デバイス内にある。動作プロセスは、以下の通りである。
【００７０】
通信デバイスのＷｉ−Ｆｉモードがすでにイネーブルにされているとき、Ｗｉ−Ｆｉチップは、送られるべきサービスデータがＷｉ−Ｆｉチップ内に現在存在するかどうか識別し、送られるべきサービスデータが現在存在する場合、Ｗｉ−Ｆｉチップは、受信属性情報を獲得する。
【００７１】
Ｗｉ−Ｆｉチップは、電力増幅器およびフィルタを使用することによって検出信号をアンテナに送り、アンテナによってフィードバックされる反射信号を受信し、Ｗｉ−Ｆｉチップは、反射信号に従って受信属性情報を獲得し、受信属性情報は、ＲＳＳＩ情報およびＰＥＲ情報を特に含む。
【００７２】
Ｗｉ−Ｆｉチップは、サービスデータを送るための送信レートを決定する。Ｗｉ−Ｆｉチップは、記憶されている送信レートテーブルから、ＲＳＳＩ情報およびＰＥＲ情報を使用することによって、サービスデータを送るための送信レートを見出し、送信レートは、ＲＳＳＩ情報およびＰＥＲ情報に合致する（Ｗｉ−Ｆｉチップが、ＲＳＳＩ情報およびＰＥＲ情報に従って、サービスデータを送るための送信レートを決定することは、実施形態１においてすでに述べており、本明細書で再び述べない）。
【００７３】
Ｗｉ−Ｆｉチップは、決定された送信レートに従って電力増幅器の供給電圧値を決定し（Ｗｉ−Ｆｉチップが、送信レートに従って電力増幅器の供給電圧値を決定することは、実施形態１においてすでに述べており、本明細書で再び述べない）、第１の制御信号を直流−直流コンバータに送り、直流−直流コンバータは、第１の制御信号内に含まれる第１の電力供給情報に従って、合致した供給電圧値を電力増幅器に提供し、その結果、電力増幅器が、供給電圧値に従って、サービスデータを担持するサービス要求信号を増幅するようにする。
【００７４】
本発明のこの実施形態では、Ｗｉ−Ｆｉチップが異なる送信レートに従って電力増幅器の供給電圧値を決定し、異なる供給電圧値に従って、電力増幅器のために異なる場所で静的な動作ポイントを決定するので、電力増幅器は、イネーブルにされた期間内で異なる送信レートに従って電力消費を調整し、したがって、電力増幅器の電力消費が削減され、通信デバイス内のバッテリの電気消費もまた削減され、それにより電力節約の目的を達成する。
【００７５】
実施形態２
それに対応して、本発明の実施形態２は、電力消費を削減するための装置をさらに提供し、この装置は、実施形態１における電力消費を削減するための方法を実装するように構成される。図４に示されているように、この装置は、識別ユニット４１０、獲得ユニット４２０、および決定ユニット４３０を含み、
この装置内の識別ユニット４１０は、通信デバイスのワイヤレスフィデリティＷｉ−Ｆｉモードがすでにイネーブルにされているとき、送られるべきサービスデータが現在存在するかどうか識別するように構成され、
獲得ユニット４２０は、サービスデータが現在存在する場合、この装置の受信属性情報を獲得するように構成され、
決定ユニット４３０は、受信属性情報を使用することによってサービスデータを送るための送信レートを決定するように構成され、
決定ユニット４３０は、送信レートに従って、ワイヤレス通信モジュールに接続された電力増幅器の供給電圧値を決定するようにさらに構成され、その結果、電力増幅器が、供給電圧値に従って、サービスデータを担持するサービス要求信号を増幅する。
【００７６】
獲得ユニット４２０によって獲得される受信属性情報は、受信信号強度インジケータＲＳＳＩ情報およびパケット誤り率ＰＥＲ情報を特に含み、
決定ユニット４３０は、記憶されている送信レートテーブルから、受信信号強度インジケータＲＳＳＩ情報およびパケット誤り率ＰＥＲ情報を使用することによって、サービスデータを送るための送信レートを見出すようにさらに構成され、送信レートは、受信信号強度インジケータＲＳＳＩ情報およびパケット誤り率ＰＥＲ情報に合致する。
【００７７】
決定ユニット４３０は、送信レートに従って、送信レートに対応する変調および符号化方式ＭＣＳインデックス数を獲得し、
変調および符号化方式ＭＣＳインデックス数に従って、変調および符号化方式ＭＣＳインデックス数が属するレートグループ化クラスを獲得し、
レートグループ化クラスを使用することによって、電力増幅器の、レートグループ化クラスに合致する供給電圧値を決定するようにさらに構成される。
【００７８】
この装置は、ワイヤレス通信モジュールに接続された直流−直流コンバータに第１の制御信号を送るように構成された送信ユニット４４０をさらに含み、第１の制御信号は、第１の電力供給情報を含み、その結果、直流−直流コンバータは、第１の電力供給情報に従って、合致した供給電圧値を電力増幅器に提供する。
【００７９】
決定ユニット４３０は、サービスデータが現在存在しない場合、電力増幅器の供給電圧値が０Ｖであると決定するようにさらに構成される。
【００８０】
この装置は、サービスデータがすでに完全に送られたかどうか決定するように構成された判定ユニット４５０をさらに含み、
決定ユニット４３０は、サービスデータがすでに完全に送られた場合、電力増幅器の供給電圧値が０Ｖであると決定するようにさらに構成され、
獲得ユニット４２０は、サービスデータが完全に送られていない場合、受信属性情報を獲得するようにさらに構成される。
【００８１】
送信ユニット４４０は、ワイヤレス通信モジュールに接続された直流−直流コンバータに第２の制御信号を送るようにさらに構成され、第２の制御信号は、第２の電力供給情報を含み、その結果、直流−直流コンバータは、第２の電力供給情報に従って、合致した供給電圧値を電力増幅器に提供するのを停止する。
【００８２】
したがって、本発明のこの実施形態において提供される電力消費を削減するための装置によれば、電力消費を削減するためのこの装置は、獲得される受信属性情報に従って、送られるべきサービスデータを送るための送信レートを決定し、送信レートに従って、電力消費を削減するためのこの装置に接続された電力増幅器の供給電圧値を決定し、その結果、電力増幅器は、決定された供給電圧値に従って、サービスデータを担持するサービス要求信号を増幅し、電力消費を削減するためのこの装置は、異なる送信レートに従って電力増幅器の供給電圧値を決定し、次いで、異なる供給電圧値に従って、電力増幅器のために異なる場所で静的な動作ポイントを決定し、その結果、電力増幅器は、イネーブルにされた期間内で異なる送信レートに従って電力消費を調整し、したがって、電力増幅器の電力消費が削減され、通信デバイス内のバッテリの電気消費もまた削減され、それにより電力節約の目的を達成する。
【００８３】
当業者なら、本明細書に開示されている実施形態に記載の例と組み合わせて、ユニットおよびアルゴリズムステップが電子ハードウェア、コンピュータソフトウェア、またはそれらの組合せによって実装され得ることにさらに気付くことができる。ハードウェアとソフトウェアの間で相互交換可能であることを明確に述べるために、前述は、各例の構成およびステップについて機能に従って一般的に述べた。それらの機能がハードウェアによって実施されるか、それともソフトウェアによるかは、特定の応用例、および技術的解決策の設計制約条件に依存する。当業者なら、異なる方法を使用し、各特定の応用例のために記載の機能を実装することができるが、その実装は、本発明の範囲を越えると考えるべきでない。
【００８４】
本明細書に開示されている実施形態に記載の方法またはアルゴリズムのステップは、ハードウェア、プロセッサによって実行されるソフトウェアモジュール、またはそれらの組合せによって実装され得る。ソフトウェアモジュールは、ランダムアクセスメモリ（ＲＡＭ）、メモリ、読出し専用メモリ（ＲＯＭ）、電気的プログラム可能なＲＯＭ、電気的消去可能プログラム可能なＲＯＭ、レジスタ、ハードディスク、取外し式ディスク、ＣＤ−ＲＯＭ、または当技術分野で知られている任意の他の形態の記憶媒体内に常駐し得る。
【００８５】
前述の特定の実装法では、本発明の目的、技術的解決策、および利益について、詳細にさらに述べられている。前述の説明は、本発明の特定の実装法にすぎず、本発明の保護範囲を限定するものではないことを理解されたい。本発明の原理から逸脱することなしになされた修正、均等な置換え、または改善は、本発明の保護範囲内に入るべきである。
【図１】
0006332883.tif 000005
【図２】
0006332883.tif 000006
【図３】
0006332883.tif 000007
【図４】
0006332883.tif 000008